(57)【要約】【課題】支持構造体に肘掛けを固定するにあたり、肘掛けの上端部周辺の結合強度を高めて肘載せ荷重に十分に抗しうる椅子を提供する。【解決手段】支持構造体１０に肘掛け２０を締結部材（ボルトＢ３）によって固定するものであって、前記肘掛け２０における上方を向く部位（肘掛け本体２１の上面部２２ａ）に開口する締結部材挿通部（ボルト挿通孔２５）を備え、前記締結部材挿通部に挿通された前記締結部材（第一ボルトＢ３）によって、前記肘掛け２０が前記支持構造体１０に締結されている。【選択図】図４
2019080851.tif 000002
【特許請求の範囲】
【請求項１】
支持構造体に肘掛けを締結部材によって固定する椅子において、
前記肘掛けにおける上方を向く部位に開口する締結部材挿通部を備え、前記締結部材挿通部に挿通された前記締結部材によって、前記肘掛けが前記支持構造体に締結されていることを特徴とする椅子。
【請求項２】
前記締結部材挿通部における前記肘掛けの上方を向く開口は、遮蔽部材により遮蔽されていることを特徴とする請求項１に記載の椅子。
【請求項３】
前記肘掛けは、前記締結部材挿通部が形成される肘掛け本体と、前記肘掛け本体の上面部に取り付けられるパッドと、を備え、
前記締結部材挿通部は、前記肘掛け本体に形成され、
前記締結部材挿通部における前記肘掛けの上方を向く開口は、前記パッドを前記遮蔽部材として遮蔽されていることを特徴とする請求項２に記載の椅子。
【請求項４】
前記肘掛け本体は、前記支持構造体に固定される固定部と、前記固定部の上部から前方に延び、前記肘掛けの上方を向く上面部を形成する肘載せ部と、を備え、前記固定部の上部で前記肘載せ部の後部に前記締結部材挿通部が設けられていることを特徴とする請求項３に記載の椅子。
【請求項５】
前記固定部は、前記締結部材挿通部よりも下方に、前記支持構造体に締結される第二締結部を備えていることを特徴とする請求項４に記載の椅子。
【請求項６】
前記支持構造体は背凭れを含み、前記背凭れに前記肘掛けが固定されていることを特徴とする請求項１から５の何れか一項に記載の椅子。
【請求項７】
前記締結部材挿通部は、前記肘掛けの上方を向く開口から、下側に位置するほど椅子幅方向内側に位置するように傾斜して延び、前記締結部材挿通部に沿う前記締結部材によって、前記肘掛けが前記支持構造体に締結されていることを特徴とする請求項１から６の何れか一項に記載の椅子。
【発明の詳細な説明】
【技術分野】
【０００１】
本発明は、椅子に関する。
【背景技術】
【０００２】
背凭れと、この背凭れに連結される肘掛とを備える椅子として、例えば、下記特許文献１，２に開示される椅子が公知である。
まず、特許文献１に開示される椅子では、背凭れを構成する枠部材１０の幅方向外側面に、外側方に開口するように形成された凹部１７に、肘掛２０の後部杆２４の下部を係合することと、後部杆２４の外側方から挿入されたボルトＢ１を枠部材１０に形成された雌ねじに螺合することによって、肘掛２０が、上方からの荷重によって回動することが無いように、背凭れ６に支持される。このような構成を採用することによって、肘掛を背凭れに対して堅牢に支持することができる。
このように背凭れと肘掛けとを連結するボルトは、意匠性や、着座者が手に触れたときの負傷リスク等の問題から、遮蔽されることが一般的である。この椅子においては、ボルトＢ１が挿入される部位を、他部位と比して段落ちした凹部１８とし、この凹部１８の開口端部をカバー部材１９によって遮蔽している。さらに、上記のモーメントに配慮して、ボルトＢ１は上下一対設けられている。この構成により、ボルトＢ１を容易かつ低コストで遮蔽できるが、カバー部材１９は広い面を有して椅子の外側方に露呈するうえ、強度も要求されない部材なので、視認されやすく、取り外されやすい。
【０００３】
この課題を解決する手段として、特許文献２に開示される構成を採用することが考えられる。この構成では、肘掛１９の肘当て部２０を内側方まで延設した内向き部４７を、前方から挿入されるボルト５２により背アウターシェル９に螺合している。この構成を採用することによって、背凭れと肘掛けとの連結部位は、背凭れの内部に収容されることになるため、カバー部材を設ける必要が無くなる。
【先行技術文献】
【特許文献】
【０００４】
【特許文献１】特開２０１７−０８６２７８号公報
【特許文献２】特許第５８７３３０４号公報
【発明の概要】
【発明が解決しようとする課題】
【０００５】
しかし、特許文献２の構成は、ボルト５２は前方から挿入されることから、肘当て部２０の上面に入力される荷重は、内向き部４７を前方へ引き剥がす方向のモーメントに変換されるため、強度面で改善の余地が残る。
本願発明は、上記の技術的課題に鑑みてなされたもので、支持構造体に肘掛けを固定するにあたり、肘掛けの上端部周辺の結合強度を高めて肘載せ荷重に十分に抗しうる椅子を提供することを目的とする。
【課題を解決するための手段】
【０００６】
上記課題の解決手段として、本発明は、支持構造体に肘掛けを締結部材によって固定する椅子において、前記肘掛けにおける上方を向く部位に開口する締結部材挿通部を備え、前記締結部材挿通部に挿通された前記締結部材によって、前記肘掛けが前記支持構造体に締結されていることを特徴とする椅子を提供する。
この構成によれば、肘掛けの上方に向けて開口する締結部材挿通部を利用して、肘掛けの上端部を支持構造体に固定することが可能となる。このため、肘掛けの上端部周辺の支持構造体への結合強度を高め、肘載せ荷重に十分に抗しうる肘掛けを得ることができる。
【０００７】
本発明において、前記締結部材挿通部における前記肘掛けの上方を向く開口は、遮蔽部材により遮蔽されている構成でもよい。
この場合、肘掛けの上方を向く締結部材挿通部の開口が遮蔽部材により遮蔽されて目立たなくなり、椅子の外観への影響を抑えることができる。
【０００８】
本発明において、前記肘掛けは、前記締結部材挿通部が形成される肘掛け本体と、前記肘掛け本体の上面部に取り付けられるパッドと、を備え、前記締結部材挿通部は、前記肘掛け本体に形成され、前記締結部材挿通部における前記肘掛けの上方を向く開口は、前記パッドを前記遮蔽部材として遮蔽されている構成でもよい。
この場合、肘掛けの上方を向く締結部材挿通部の開口が肘掛け本体に形成され、この開口が肘掛けのパッドにより遮蔽されるので、専用の遮蔽部材を設ける場合と比べて、部品点数の削減を図るとともに、椅子の外観への影響をより一層抑えることができる。
【０００９】
本発明において、前記肘掛け本体は、前記支持構造体に固定される固定部と、前記固定部の上部から前方に延び、前記肘掛けの上方を向く上面部を形成する肘載せ部と、を備え、前記固定部の上部で前記肘載せ部の後部に前記締結部材挿通部が設けられている構成でもよい。
この場合、肘掛け本体の支持構造体への固定部の上部である肘載せ部の後部が、締結部材挿通部を利用して支持構造体に直接的に固定されるので、肘掛けにおける肘載せ部と同等高さの上端部が支持構造体に固定される。このため、肘載せ荷重に対する結合強度を効果的に高めることができる。すなわち、固定部の上部から前方に延びる肘載せ部に肘載せ荷重が加わると、固定部の上部かつ肘載せ部の後部に支持構造体から引き離す方向のモーメントが作用するが、固定部の上部かつ肘載せ部の後部を支持構造体に締結することで、前記モーメントに抗する力を効果的に得ることができる。
【００１０】
本発明において、前記固定部は、前記締結部材挿通部よりも下方に、前記支持構造体に締結される第二締結部を備えている構成でもよい。
この場合、肘掛け本体の固定部が、上部とともに下部でも支持構造体に締結されるので、肘掛け本体を安定して支持構造体に固定することができる。
【００１１】
本発明において、前記支持構造体は背凭れを含み、前記背凭れに前記肘掛けが固定されている構成でもよい。
この場合、肘掛けの上方に向けて開口する締結部材挿通部を利用して、肘掛けの上端部が背凭れに固定されるので、肘載せ荷重に対する肘掛けの結合強度を高めることができる。特に、背凭れは肘載せ位置から後方へ離れるため、肘掛けの結合部に作用するモーメントが大きくなるが、このモーメントに抗する力を効果的に得ることができる。
【００１２】
本発明において、前記締結部材挿通部は、前記肘掛けの上方を向く開口から、下側に位置するほど椅子幅方向内側に位置するように傾斜して延び、前記締結部材挿通部に沿う前記締結部材によって、前記肘掛けが前記支持構造体に締結されている構成でもよい。
この場合、肘掛けと支持構造体とを上下方向で締結する構成のみならず、肘掛けと支持構造体とを締結部材挿通部の傾斜に沿う締結部材によって椅子幅方向でも締結することが可能となり、肘掛けの結合構造の設定自由度を高めることができる。
【発明の効果】
【００１３】
本発明によれば、支持構造体に肘掛けを固定するにあたり、肘掛けの上端部周辺の結合強度を高めて肘載せ荷重に十分に抗しうる椅子を提供することができる。
【図面の簡単な説明】
【００１４】
【図１】本実施形態に係る椅子の斜視図である。
【図２】上記椅子の左側面図である。
【図３】上記椅子の肘掛け周辺の左側面図である。
【図４】上記椅子の肘掛け周辺の斜視図である。
【図５】図３のＶ−Ｖ断面図である。
【図６】図３のＶＩ−ＶＩ断面図である。
【図７】図３のＶＩＩ−ＶＩＩ断面図である。
【図８】上記椅子を下方から見上げた斜視図である。
【図９】上記椅子の肘掛けの後部周辺の取り付け構造を示す斜視図である。
【図１０】上記椅子の後面図である。
【発明を実施するための形態】
【００１５】
以下、本発明の一実施形態に係る椅子について図面を参照して説明する。
以下の説明において、便宜上、椅子１に着座した利用者（着座者）が前を向く方向を「前方」、その反対方向を「後方」、つまり図２の紙面に沿った横方向を前後方向又は奥行方向と称する。さらに、椅子１を設置する床側とその反対側とを結ぶ方向を上下方向、椅子１の幅方向、つまり図２の紙面に直交する方向を左右方向又は幅方向と称する。なお、図中適所には、椅子１の幅方向を示す矢印Ｘ、椅子１の奥行方向を示す矢印Ｙ、椅子１の上下方向を示す矢印Ｚが示されている。
【００１６】
図１、図２に示すように、椅子１は、平面視で放射状に配置された複数（五本）の脚杆２ａを有する脚体２を備えている。各脚杆２ａの先端部には、それぞれ床面Ｆに接地するキャスタ２ｂが設けられている。脚体２の中央には、ガススプリングを内蔵した伸縮式の脚柱３が起立している。脚柱３は、下部を構成する外筒３ａと上部を構成する内筒３ｂとを相対回転可能に有している。脚柱３の上端には、支基４の後部が固定されている。支基４は、背凭れ５を支持する背凭れ支持杆６を傾動可能（回動可能）に支持するとともに、着座面１４ｂを形成する座体１４を背凭れ支持杆６と連動して傾動可能に支持している。
【００１７】
背凭れ支持杆６は、左右一対に設けられ、それぞれ側面視Ｌ字状をなしている。背凭れ支持杆６は、例えばアルミニウム合金等の金属材料で構成されている。背凭れ支持杆６は、支基４の側方に隣接する位置から後方へ延びる後方延出部６ａと、後方延出部６ａの後端に連なり上方へ屈曲する湾曲部６ｂと、湾曲部６ｂの上端に連なり上方へ延びる上方延出部６ｃと、を有している。上方延出部６ｃは、後方延出部６ａに対して幅方向外側へ変位している。左右の上方延出部６ｃの間には、背凭れ５の下部が挟まれて支持されている。
【００１８】
上方延出部６ｃの幅方向外側には、肘掛け２０の後部が固定されている。肘掛け２０の上面すなわち肘載せ面３１ａは、上方延出部６ｃの上端と略同一高さにある。肘載せ面３１ａは、背凭れ５における着座者の腰部を後方から支持する前方突出部５ａと略同一高さにある。以下、椅子１における肘掛け２０を除いた集合体を支持構造体１０と称する。
【００１９】
座体１４は、背凭れ支持杆６に連結された座受け部材１４ａ上に、前後スライド可能に支持されている。左右背凭れ支持杆６の前部には、上向きに延びる座支持杆６ｄがそれぞれ一体に設けられている。例えば、座支持杆６ｄは、背凭れ支持杆６に一体形成されている。図中符号Ｃ１は支基４の側方に突出して背凭れ支持杆６の前端部を支持する回動軸（リクライニング軸）の中心軸線を示す。
【００２０】
左右座支持杆６ｄの上端部には、それぞれ座受け部材１４ａの後部が、回動軸の軸線Ｃ１と平行な軸線Ｃ２の回動軸を介して回動可能に軸支されている。座受け部材１４ａの前部は、上下方向を向く起立姿勢をなす左右一対のリンク部材１２の上端部に、軸線Ｃ１と平行な軸線Ｃ３の回動軸を介して回動可能に軸支されている。左右リンク部材１２の下端部は、軸線Ｃ１と平行な軸線Ｃ４の回動軸を介して、支基４の前部に回動可能に軸支されている。
【００２１】
背凭れ５と座体１４とは、図２に示す側面視で、第一節Ｌ１、第二節Ｌ２、第三節Ｌ３および第四節Ｌ４を有する四節リンク状の連動機構１５を介して連動可能である。
背凭れ５は、後方へ傾動する前（リクライニング前）の起立位置（図２参照）からリクライニング位置に向けて後方へ回動したとき、連動機構１５の作用により、座体１４を後方へ移動させつつ後下がりに傾斜させる。
【００２２】
図７を併せて参照し、背凭れ５は、例えば合板等の木製材料からなる基板（以下、背板７という）を有している。背板７の前面側には、クッションおよび表皮材が配置されて背凭れ面５ｂが形成されている。背板７の背面側には、背凭れ支持杆６の湾曲部６ｂまで延びるバックパネル５ｃが取り付けられている。
【００２３】
以下、本実施形態の肘掛け２０周辺の構造について詳細に説明する。なお、左右の肘掛け２０周辺は互いに左右対称の構成を有しており、以下の説明では、図２〜図９に示す左側の肘掛け２０周辺を参照して説明を行い、右側の肘掛け２０周辺については説明を省略する。また、以下の説明において、肘掛け２０の上下、前後および左右の向きは、特に記載がなければ肘掛け２０を背凭れ支持杆６（支持構造体１０）に取り付けた状態での向きと同一とする。
【００２４】
肘掛け２０は、背凭れ５に支持される肘掛け本体２１と、肘掛け本体２１に取り付けられるパッド３１と、を備えている。
肘掛け本体２１は、側面視で概略三角形状の枠状に一体形成されている。肘掛け本体２１は、背凭れ支持杆６と同様、例えばアルミニウム合金等の金属材料で構成されている。肘掛け本体２１は、前後方向に延びる上部杆２２と、上部杆２２の前部から後下方へ延びる前部杆２３と、上部杆２２および前部杆２３の後端部間に渡る後部杆２４と、を有している。後部杆２４は、背凭れ支持杆６の上方延出部６ｃの幅方向外側に、上下一対のボルトＢ１（図５参照）等によって締結固定されている。
【００２５】
上部杆２２は、着座者の肘および前腕を支持する肘載せ部として使用される。上部杆２２の前端部は、着座者の手指を掛ける部位として使用される。上部杆２２の前端部の下方には、例えばワイヤケーブル等を介して支基４側と機械的に連結される操作レバー２３ｃが配置されている。操作レバー２３ｃは、例えば支基４内のリクライニング機構や支柱の昇降機構等を操作可能とする。
【００２６】
上部杆２２は、上下幅を抑えた偏平の樋状に形成されている。上部杆２２内には、格子状のリブが形成されている。上部杆２２には、上部杆２２の樋形状の上面部（開放部）２２ａを上方から覆うようにパッド３１が取り付けられている。
【００２７】
例えば、パッド３１は、肘載せ面３１ａを含む外面を形成する例えば比較的軟質の合成樹脂製の表装体と、表装体を外装するとともに上部杆２２に対する取り付け構造を形成する例えば比較的硬質の合成樹脂製のベース体と、を備えている。パッド３１は、素材の異なる二種類の部材により、肘載せ面３１ａの柔軟な感触と上部杆２２への取り付け強度とを両立させている。パッド３１は、例えば二色成形等の手段により表装体とベース体とを一体成形している。なお、パッド３１は、インサート成形により表装体とベース体とを一体成形してもよい。また、パッド３１は、互いに別体の表装体とベース体との嵌め合わせで構成してもよい。
【００２８】
図４を参照し、上部杆２２の上面側には、パッド３１を取り付けるための係止片３２がビス３２ａにより固定されている。パッド３１は、上部杆２２の上面部２２ａに上方から当接した状態で、上部杆２２の上面部２２ａに沿うように後方へ移動することで、肘掛け２０への取り付け状態となる。上部杆２２の内部形状を形成する金型を上下方向で型抜きする場合、係止片３２がオーバーハングするが、係止片３２を別体としてビス固定とすることで、大型の肘掛け本体２１における上部杆２２を形成する金型の複雑化を抑えている。
【００２９】
前部杆２３は、上部杆２２の前部の下方に突出するように形成される側面視逆三角形状の下方突出部２３ａと、下方突出部２３ａの下端部から下後方へ湾曲するように指向して延びる下後方延出部２３ｂと、を有している。下方突出部２３ａには前記操作レバー２３ｃが支持され、この操作レバー２３ｃが下方突出部２３ａの前方に突出している。操作レバー２３ｃの上方かつ下方突出部２３ａよりも前方に、上部杆２２の前端部が配置されている。
【００３０】
後部杆２４は、側面視で背凭れ５の下部の傾斜に沿うように、下方に位置するほど後方に位置するように傾斜している。図９を参照し、後部杆２４は、上部杆２２および前部杆２３に対して、幅方向内側にオフセットしている。後部杆２４の幅方向内側には、後部杆２４の長さ方向に沿う突条２４ａが形成されている。この突条２４ａを嵌入させる溝部６ｅが、背凭れ支持杆６の上方延出部６ｃの幅方向外側に形成されている。突条２４ａの上下には、ボルトＢ１を螺着させるナット穴２４ｂが形成されている。ナット穴２４ｂは、幅方向外側が閉じた袋孔であり、後部杆２４を幅方向外側から見た場合に外観上に現れない。溝部６ｅの上下には、ボルトＢ１を挿通するボルト挿通孔６ｆが形成されている。
【００３１】
後部杆２４の突条２４ａを上方延出部６ｃの溝部６ｅに嵌入させ、上下のボルト挿通孔６ｆに挿通した概ね左右方向に沿うボルトＢ１を上下のナット穴２４ｂに螺着し締め込むことで、肘掛け２０の後部が背凭れ支持杆６の上方延出部６ｃに締結固定されている。
【００３２】
図１０を参照し、背凭れ５の下部には、例えば硬質の合成樹脂製の下部フレーム８が取り付けられている。下部フレーム８は、前後方向視で上方に開放するコ字状をなし、背凭れ５の背板７の下部に概ね前後方向に沿う複数のボルトＢ２により取り付けられている。下部フレーム８は、背板７の下端に沿って幅方向に延びる下辺部８ａと、背板７の下部両端に沿って上下方向に延びる左右の側辺部８ｂと、を有している。
【００３３】
図７を参照し、背板７には、下部フレーム８と締結される複数の締結個所に雌ねじ部材Ｎ２が埋設されている。下部フレーム８には、背板７と締結される複数の締結個所にボルト挿通孔８ｃが形成されている。各ボルト挿通孔８ｃに挿通したボルトＢ２を対応する雌ねじ部材Ｎ２に螺着し締め込むことで、下部フレーム８が背板７の下部に締結固定されている。
【００３４】
下部フレーム８の左右側辺部８ｂは、幅方向外側に開放する断面コ字状をなしている。下部フレーム８および背板７の組み付け体は、クッションおよびバックパネル５ｃ等とともに一体の背凭れ５を構成する。前記組み付け体は、左右の背凭れ支持杆６の上方延出部６ｃの間に上方から差し込まれる。このとき、下部フレーム８の左右側辺部８ｂの前後壁部の間に上方延出部６ｃが入り込んで嵌合し、背凭れ支持杆６に対する背凭れ５の前後方向、上下方向および左右方向の位置決めがなされる。この状態で、以下に説明する第一ボルトＢ３および第二ボルトＢ４によって、背凭れ５が背凭れ支持杆６に締結固定される。
【００３５】
図５、図９に示すように、上方延出部６ｃの上部に用いる第一ボルトＢ３は、肘掛け本体２１の上部から下方かつ幅方向内側へ斜めに挿通されるボルトであり、下部フレーム８の側辺部８ｂの上部に締結される。
図５、図６、図９に示すように、上方延出部６ｃの下部に用いる第二ボルトＢ４は、背凭れ支持杆６の下部から上方へ略垂直に挿通されるボルトであり、下部フレーム８の側辺部８ｂの下端部に締結される。
【００３６】
上部杆２２の後部、および上方延出部６ｃの上部には、これらを第一ボルトＢ３の傾斜に沿って貫通するボルト挿通孔２５が形成されている。ボルト挿通孔２５は、上部杆２２の後部の上面部２２ａ（後部杆２４の上端部でもある）に開口２５ａを形成しており（図４参照）、この開口２５ａから第一ボルトＢ３を挿通し、以下に説明するナットＮ３に螺着し締め込まれる。ボルト挿通孔２５の開口２５ａは、第一ボルトＢ３の頭部とともにパッド３１により遮蔽されている。
【００３７】
図５を参照し、側辺部８ｂの上部の幅方向内側には、前後方向視で第一ボルトＢ３の傾斜と略平行になるように傾斜した矩形状の凹部８ｄが形成されている。凹部８ｄの後面および傾斜面に沿うようにＬ字状のブラケット９が配置されている。ブラケット９は、後壁９ａが前記ボルトＢ２によって背板７および下部フレーム８に固定されている。傾斜壁の起立壁９ｂには、第一ボルトＢ３を螺着するナットＮ３が配置され、第一ボルトＢ３を締結可能としている。
これにより、下部フレーム８の左右側辺部８ｂの上部が、幅方向および上下方向の締結力をもって、背凭れ支持杆６および肘掛け２０の結合体に対して結合される。
【００３８】
下部フレーム８の側辺部８ｂの下部には、前後方向視で「凸」字形の凹部８ｅが形成されている。凹部８ｅの下側の幅広部には、前方からナットＮ４が挿入され、このナットＮ４が抜け止めビスによって保持されている。背凭れ支持杆６の湾曲部６ｂには、上下方向に沿うボルト挿通孔２６が形成され、このボルト挿通孔２６が湾曲部６ｂの下面で下方に向けて開口している。このボルト挿通孔２６に下方から第二ボルトＢ４を挿通し、この第二ボルトＢ４をナットＮ４に螺着し締め込むことで、背凭れ５の下部が背凭れ支持杆６に締結固定されている。
【００３９】
以上説明したように、本実施形態の椅子１は、支持構造体１０に肘掛け２０を締結部材（ボルトＢ１，Ｂ３）によって固定するものであって、前記肘掛け２０における上方を向く部位（肘掛け本体２１の上面部２２ａ）に開口する締結部材挿通部（ボルト挿通孔２５）を備え、前記締結部材挿通部に挿通された前記締結部材（第一ボルトＢ３）によって、前記肘掛け２０が前記支持構造体１０に締結されている。
この構成によれば、肘掛け２０の上方に向けて開口する締結部材挿通部を利用して、肘掛け２０の上端部を支持構造体１０に固定することが可能となる。このため、肘掛け２０の上端部周辺の支持構造体１０への結合強度を高め、肘載せ荷重に十分に抗しうる肘掛け２０を得ることができる。
【００４０】
本実施形態の椅子１において、前記肘掛け２０は、前記締結部材挿通部が形成される肘掛け本体２１と、前記肘掛け本体２１の上面部２２ａに取り付けられるパッド３１と、を備え、前記締結部材挿通部は、前記肘掛け本体２１に形成され、前記締結部材挿通部における前記肘掛け２０の上方を向く開口２５ａは、前記パッド３１を前記遮蔽部材として遮蔽されている。
この場合、肘掛け２０の上方を向く締結部材挿通部の開口２５ａが肘掛け本体２１に形成され、この開口２５ａが肘掛け２０のパッド３１により遮蔽されるので、専用の遮蔽部材を設ける場合と比べて、部品点数の削減を図るとともに、外観への影響をより一層抑えることができる。
【００４１】
本実施形態の椅子１において、前記肘掛け本体２１は、前記支持構造体１０に固定される固定部（後部杆２４）と、前記固定部の上部から前方に延び、前記肘掛け２０の上方を向く上面部２２ａを形成する肘載せ部（上部杆２２）と、を備え、前記固定部の上部で前記肘載せ部の後部に前記締結部材挿通部が設けられている。
この場合、肘掛け本体２１の支持構造体１０への固定部の上部である肘載せ部の後部が、締結部材挿通部を利用して支持構造体１０に直接的に固定されるので、肘掛け２０における肘載せ部と同等高さの上端部が支持構造体１０に固定される。このため、肘載せ荷重に対する結合強度を効果的に高めることができる。すなわち、固定部の上部から前方に延びる肘載せ部に肘載せ荷重が加わると、固定部の上部かつ肘載せ部の後部に支持構造体１０から引き離す方向のモーメントが作用するが、固定部の上部かつ肘載せ部の後部を支持構造体１０に締結することで、前記モーメントに抗する力を効果的に得ることができる。
【００４２】
本実施形態の椅子１において、前記固定部は、前記締結部材挿通部よりも下方に、前記支持構造体１０に締結される第二締結部（ナット穴２４ｂ）を備えている。
この場合、肘掛け本体２１の固定部が、上部とともに下部でも支持構造体１０に締結されるので、肘掛け本体２１を安定して支持構造体１０に固定することができる。
【００４３】
本実施形態の椅子１において、前記支持構造体１０は背凭れ５を含み、前記背凭れ５に前記肘掛け２０が固定されている。
この場合、肘掛け２０の上方に向けて開口する締結部材挿通部を利用して、肘掛け２０の上端部が背凭れ５に固定されるので、肘載せ荷重に対する肘掛け２０の結合強度を高めることができる。特に、背凭れ５は肘載せ位置から後方へ離れるため、肘掛け２０の結合部に作用するモーメントが大きくなるが、このモーメントに抗する力を効果的に得ることができる。
【００４４】
本実施形態の椅子１において、前記締結部材挿通部は、前記肘掛け２０の上方を向く開口２５ａから、下側に位置するほど椅子幅方向内側に位置するように傾斜して延び、前記締結部材挿通部に沿う前記締結部材によって、前記肘掛け２０が前記支持構造体１０に締結されている。
この場合、肘掛け２０と支持構造体１０とを上下方向で締結する構成のみならず、肘掛け２０と支持構造体１０とを締結部材挿通部の傾斜に沿う締結部材によって椅子幅方向でも締結することが可能となり、肘掛け２０の結合構造の設定自由度を高めることができる。
【００４５】
なお、本発明は上記実施形態に限られるものではなく、例えば、支持構造体における肘掛けを支持する部位は、背凭れに限らず、背凭れ支持杆、座体および支基等であってもよい。肘掛けは、ボルト挿通孔の開口をパッドで遮蔽する構成に限らず、専用の遮蔽部材を備えてもよい。第一ボルトは、前後方向から見て傾斜して配置される構成に限らず、左右方向から見て傾斜して配置されたり、または傾斜を無くして上下方向に沿うように配置されてもよい。
そして、上記実施形態における構成は本発明の一例であり、当該発明の要旨を逸脱しない範囲で種々の変更が可能である。
【符号の説明】
【００４６】
１  椅子
５  背凭れ
１０  支持構造体
２０  肘掛け
２１  肘掛け本体
２２  上部杆（肘載せ部）
２２ａ  上面部
２４  後部杆（固定部）
２４ｂ  ナット穴（第二締結部）
２５  ボルト挿通孔（締結部材挿通部）
２５ａ  開口
Ｂ３  第一ボルト（締結部材）
【図１】
2019080851.tif 000003
【図２】
2019080851.tif 000004
【図３】
2019080851.tif 000005
【図４】
2019080851.tif 000006
【図５】
2019080851.tif 000007
【図６】
2019080851.tif 000008
【図７】
2019080851.tif 000009
【図８】
2019080851.tif 000010
【図９】
2019080851.tif 000011
【図１０】
2019080851.tif 000012